(57)【要約】【目的】着脱を可能にしたディスプレイユニットを提供することにより、低価格でどの乗車位置からもエンターテイメントを楽しむことのできる車載用エンターテイメントシステムを提供する。【構成】  ディスプレイユニットと映像再生装置と、これらを接続するワイヤーハーネスと、によって構成されている車載用エンターテイメントシステムにおいて、助手席の前方部及び車載座席背面部にアダプターを設置し、前記アダプターの少なくとも一ヶ所にディスプレイユニットを取り付ける。【選択図】図２
2006015959.tif 000002
【特許請求の範囲】
【請求項１】
ディスプレイユニットと、映像再生装置と、これらを接続するワイヤーハーネスと、によって構成されている車載用エンターテイメントシステムにおいて、助手席の前方部及び車載座席背面部にアダプターを設置し、前記アダプターの少なくとも一ヶ所にディスプレイユニットを取り付けたことを特徴とする車載用エンターテイメントシステム。
【発明の詳細な説明】
【技術分野】
【０００１】
本発明は、車内に映像再生装置と表示装置を設けて、ＤＶＤ等の娯楽を楽しむことのできる車載用エンターテイメントシステムに関する。
【背景技術】
【０００２】
近年、ＤＶＤ再生装置の低価格化及び映画ソフトのＤＶＤビデオ化に伴い、ＤＶＤ再生装置の普及率が急速に高まってきている。また、車内においても、車載用液晶ディスプレイの低価格化が進んでおり、さらには多人数乗車可能なＲＶ車の普及などにより、車室内で映画や個人で撮影したビデオを鑑賞するニーズが高まってきている。そのため後席での視聴を可能とするため、車室内天井中央部に液晶ディスプレイを取り付けたリアエンターテイメントシステムが設定され始めている。
【０００３】
また、車載用エンターテイメントシステムを着脱可能にすることによって、車内のみならず車外でも使用することができるようにした発明も提案されている（例えば特許文献１）。
【特許文献１】特開２００３−１１６０７９
【発明の開示】
【発明が解決しようとする課題】
【０００４】
しかしながら、一般的に普及している天井設置型液晶ディスプレイタイプのリアエンターテイメントシステムの課題として、車室内の天井中央部に液晶ディスプレイを設置するため、助手席の乗客が楽しめず、さらに座席位置から画面が見にくく、また、車両購入後に追加できない、といった不都合があった。
【０００５】
さらに、旅客飛行機にて採用されているエンターテイメントシステムのように、各シートの前方に複数のディスプレイを設置しても、少人数しか乗車しない場合などに、すべてのシート前方にディスプレイを積載するのはコストがかかり、良い解決策とは言えない。
【０００６】
そこで本発明は着脱を可能にしたディスプレイユニットを提供することにより、低価格でどの乗車位置からもエンターテイメントを楽しむことのできる車載用エンターテイメントシステムを提供する。
【課題を解決するための手段】
【０００７】
ディスプレイユニットと、映像再生装置と、これらを接続するワイヤーハーネスと、によって構成されている車載用エンターテイメントシステムにおいて、助手席の前方部及び車載座席背面部にアダプターを設置し、前記アダプターの少なくとも一ヶ所にディスプレイユニットを取り付けたことを特徴とする車載用エンターテイメントシステムを提供することにより、上記課題を解決する。
【発明の効果】
【０００８】
助手席に乗車している者と後部座席に乗車している者、いずれの位置にいる場合であっても、同時に映画を鑑賞することができる。
【０００９】
不必要なディスプレイを購入する必要がないので、車内エンターテイメントシステムに要するコストを抑えられ、さらに車両所有者に応じたエンターテイメントシステムの構築が可能である。また複数のディスプレイを購入すれば、乗車パターンに応じた取り付けが簡易に行なえる。さらに、必要に応じてディスプレイの数を増やすこともできる。
【発明を実施するための最良の形態】
【００１０】
図１は本車内エンターテイメントシステム６の概略図である。本図から明らかなように、運転席２、助手席３、右後部席４及び左後部座席５が設けられた車両１に装備される車内エンターテイメントシステム６は、助手席３前方及び運転席２、助手席３、右後部座席４及び左後部座席５のそれぞれシート背面にアダプター１０が設けられている。尚、助手席３前方に設けられる場合はエアバッグが作動した際に妨げにならない位置に設置するのが望ましい。そして、アダプター１０を介して映像再生装置９と接続されることによって車内エンターテイメントシステム６が構成される。
【００１１】
これらアダプター１０の少なくとも一つにディスプレイユニット７を取り付けることにより、乗車人数に合わせて設置すればよいので、不要なディスプレイを購入する必要がなく、コストの低減ができる。さらに、乗車人数が増えた場合であっても後付けが可能であるので、柔軟に対応できる。さらに座席の前方にディスプレイ１１が配置されていることから、視聴がしやすいといった利点も併せ持つ。尚、使用するディスプレイ１１は液晶画面やＣＲＴ等、従来からある表示画面を使用できる。
【００１２】
本車内エンターテイメントシステム６の内容をより詳細に説明する。図２は本車内エンターテイメントシステム６のシステム図である。本車内エンターテイメントシステム６は本移設対応型エンターテイメント端末１７と映像再生装置９と、これらを接続するワイヤーハーネス８によって構成されている。尚、各移設対応型エンターテイメント端末１７はディスプレイユニット７とアダプター１０を含むものである。
【００１３】
映像再生装置９としては従来から用いられているＤＶＤプレーヤー等の機器を使用でき、これによりＤＶＤ等に記憶されている映画や音楽を再生することができる。ここで再生される情報として、映像信号、制御信号、音声信号が各移設対応型エンターテイメント端末１７に対して送られることとなる。
【００１４】
各移設対応型エンターテイメント端末１７が有するディスプレイユニット７はアダプター１０に取り付けられる。各移設対応型エンターテイメント端末１７ではアダプター１０を介して映像信号、制御信号、音声信号を受信する。映像信号は従来からある処理回路１２によってＶＩＤＥＯ信号に変換され、ディスプレイ１１に表示される。音声信号はオーディオアンプ１５を介してスピーカーから出力される。尚、音声はヘッドホン等を利用して視聴することもできる。制御信号はコントロールユニット１３を介して処理回路１２やオーディオアンプ１５に送信される。尚、各移設対応型エンターテイメント端末１７に操作キー１４を設けて、その操作信号を処理回路１２、オーディオアンプ１５、映像再生装置９に送信されるようにしてもよい。これにより、各端末で音量の調節やチャンネルの変更等が可能になる。
【００１５】
移設対応型エンターテイメント端末１７は内部に電源回路１６を有しており、映像再生装置９が有する電源から電力を供給されることにより、該端末１７が駆動する。
【図面の簡単な説明】
【００１６】
【図１】本発明の概略図
【図２】本発明のシステム図
【符号の説明】
【００１７】
１  車両
２  運転席
３  助手席
４  右後部座席
５  左後部座席
６  車内エンターテイメントシステム
７  ディスプレイユニット
８  ワイヤーハーネス
９  映像再生装置
１０  アダプター
１１  ディスプレイ
１２  処理回路
１３  コントロールユニット
１４  操作キー
１５  オーディオアンプ
１６  電源回路
１７  移設対応型エンターテイメント端末
【図１】
2006015959.tif 000003
【図２】
2006015959.tif 000004